(57)【要約】【課題】装着時の快適性を維持し、かつ、静音効果を有する室内履きの底部材を提供する。【解決手段】室内履き１の底に設けられる底部材２を、芯材２１と、芯材２１の下面に設けられて、床面との当接時に生じる音を吸収する吸音材２２と、吸音材２２の下面に設けられて、全面に複数の孔２３１を有する網状の底面材２３とが積層された構成とする。【選択図】図２
2008061815.tif 000002
【特許請求の範囲】
【請求項１】
室内履きの底に設けられる室内履きの底部材であって、
芯材と、
前記芯材の下面に設けられて、床面との当接時に生じる音を吸収する吸音材と、
前記吸音材の下面に設けられて、全面に複数の孔を有する網状の底面材と、
が積層されること、
を特徴とする室内履きの底部材。
【請求項２】
請求項１記載の室内履きの底部材において、
前記吸音材は、連続気泡型の多孔性材料または連続気泡型の発泡性合成樹脂材料を用いて構成されていること、
を特徴とする室内履きの底部材。
【発明の詳細な説明】
【技術分野】
【０００１】
本発明は、スリッパ等の室内履きの底部材に関する。
【背景技術】
【０００２】
一般に、室内履きとしてスリッパが広く使用されている。スリッパは足が載置されるソール部（底部）と、載置された足の甲の部分を覆う甲被部とを備えている。ソール部は、履き心地や耐久性などの観点から上面層と下面層とのダブル底構造となっている場合が多い。スリッパは、踵の部分を拘束する部材がないため着脱しやすく、快適性が高い。この反面、ユーザの足とソール部との密着性が低く、歩行時にユーザの足裏からソール部の踵側が離れやすい。このため、スリッパを履いてフローリングなどの床を歩行すると、床面にソール部が当接するたびにパタパタと歩行音が生じる場合がある。
【０００３】
従来、この歩行音の発生を抑えるために、バックストラップなどによりユーザの踵とスリッパとを固定したり（例えば、「特許文献１」参照。）、ソール部を構成する上面層と下面層との間に、側面視においてＶ字状に折り曲げられた弾性部材を埋設し、ソール部を弾性部材の弾性力によって足裏への密着性を向上させることが行われている（例えば、「特許文献２」参照。）。
【特許文献１】実開平６−２１４０１号公報
【特許文献２】特開平９−１７３１０３号公報
【発明の開示】
【発明が解決しようとする課題】
【０００４】
しかしながら、上記従来の様に、バックストラップなどを設けるという方法では、装着時の拘束感が増し、また着脱の容易さが損なわれる恐れがある。また、バックストラップを設けるという製造工程が必要となる。
一方、ソール部を構成する上面層と下面層との間に、プラスチックなどの弾性部材を埋設するという方法では、プラスチックなどの剛性を有する材料がソール部に埋設されるため、歩行時以外にもソール部が足裏側へ弾性力により密着されることとなり、装着時の快適性が低下する恐れがある。
本発明の課題は、装着時の快適性を維持し、かつ、静音効果を有する室内履きの底部材を提供することにある。
【課題を解決するための手段】
【０００５】
上記課題を解決するため、本発明の室内履きの底部材は、室内履きの底に設けられる室内履きの底部材であって、芯材と、前記芯材の下面に設けられて、床面との当接時に生じる音を吸収する吸音材と、前記吸音材の下面に設けられて、全面に複数の孔を有する網状の底面材と、が積層されることを特徴とする。
上記構成によれば、通常、芯材とこれを被覆する布材などから形成される底部材を、芯材と、吸音材と、全面に複数の孔を有する網状の底面材とを積層して構成することにより、従来の様に、足の踵とスリッパ等の室内履きとの密着度を高めることにより歩行音の発生を低減するのではなく、室内履きの形状等に変化を与えることなく歩行音自体を吸収するので、装着時の室内履きの快適性を維持し、かつ、静音効果を発揮することができる。
また、上記構成によれば、底面材により複数の孔を介して吸音材に歩行音を効率よく導いて吸音させることができる。また、底面材は全面に複数の孔を有する網状のものなので、歩行時の床面と底面材との接触面積が小さくなるため、歩行音の発生自体も低減することができるとともに、底面材に形成された孔により底面材自体においても歩行音を吸音することができる。
【０００６】
上記構成において、前記吸音材を、連続気泡型の多孔性材料または連続気泡型の発泡性合成樹脂材料を用いて構成することが好ましい。
ここで、吸音材の厚みは３〜１０ｍｍ程度とすることが好ましく、より好ましくは３〜８ｍｍ程度であり、更に好ましくは３〜６ｍｍ程度である。
また、吸音材に設けられる気泡は底面材に設けられる孔よりも細かい気泡であることが好ましい。気泡面（孔の内面）で空気の粘性摩擦により音のエネルギーの一部を熱エネルギーに変換して吸音させる際に、底面材には粗い孔を全面に複数有する素材を用い、吸音材には細かい孔を無数に有する素材を用いることで、広範囲の周波数の音を吸音させることができ、吸音効果を高くすることができる。
上記構成によれば、吸音材を連続気泡型の多孔性材料もしくは連続気泡型の発泡性合成樹脂材料を用いて構成することにより、歩行音を吸音するとともに、底面のクッション性を持たせることできる。これにより、床面と当接する際の衝撃を緩和させて、歩行音の発生自体も低減することができる。また、３〜１０ｍｍ程度の適度な厚みとすることで、歩行の安定性を確保することができる。
【発明の効果】
【０００７】
本発明によれば、底面材により複数の孔を介して吸音材に歩行音を導き、吸音材において歩行音を吸音させるので、装着時の室内履きの快適性を維持し、かつ、静音効果を発揮することができる。また、底面材は複数の孔を有しており、床面との接触面積が小さくなるため、歩行音の発生量自体も低減することができる。
【発明を実施するための最良の形態】
【０００８】
以下、図面を参照して本発明の実施の形態を説明する。図１に、本実施の形態のスリッパ（室内履き）１の外観斜視図を示す。図１に示す様に、本実施の形態のスリッパ１は、足が載置されるとともに床面に直接当接する底部２（底部材）と、底部２に載置された足の甲の部分を主に被覆する甲被部３とを備えている。図１には、甲被部３の形態として、つま先の部分が開放されたオープントゥタイプのものを示したが、足の甲の部分に加えてつま先の部分を一体に被覆する構成としてもよい。
【０００９】
甲被部３は、表地３ａに裏地３ｂが貼り合わせられており、表地３ａの素材はデザインや用途に応じて、コットンやウール等の天然繊維またはポリエステル、アクリル等の合成繊維、あるいは天然繊維および／または合成繊維の混紡繊維からなる布地（織物、編地（ニット）、不織布を含む）、ビニールレザーやポリウレタンレザー等の合成皮革等、種々のものが用いられる。また、い草や竹なども表地３ａの素材として用いられる。また、裏地３ｂの素材として、上記各種布地の他、ウレタンフォームやＥＶＡ（エチレン酢酸ビニール共重合樹脂）などが用いられる。
【００１０】
次に、底部２について説明する。図２に図４におけるＡ−Ａ’矢視断面図を示す。
図２に示す様に、底部２は、上底部材１０と下底部材２０とを有するダブル底構造となっている。
【００１１】
上底部材１０は、中芯材１１と、この中芯材１１の上面に設けられて歩行時の衝撃等を吸収するクッション材１２と、このクッション材１２の上面に設けられる表布１３とが積層されている。
【００１２】
中芯材１１は、例えば、所定の厚みを有する厚紙、ＥＶＡなどの素材のものが用いられ、２ｍｍ〜７ｍｍ程度に構成される。中芯材１１および後述する下芯材２１として、ＥＶＡを用いれば、スリッパ１を洗濯可能とすることができる。
【００１３】
クッション材１２は、主クッション材１２ａと副クッション材１２ｂとが設けられる。主クッション材１２ａは主に歩行時の衝撃を吸収するために設けられるものであり、副クッション材１２ｂは足の形状に応じて、踵に相当する位置等のクッション材１２の厚みを増すために設けられるものである。主クッション材１２ａとして、例えば、ウレタンフォーム、発泡ポリエチレンなどの素材のものが用いられ、３ｍｍ〜７ｍｍ程度の厚みに構成すると好ましい。ここで、ウレタンフォームとしては、内部の気泡が連通し柔らかくて弾性変形時の復元性を有する軟質ウレタンフォームが好ましい。但し、軟質ウレタンフォームには、低反発ウレタンフォームなどと呼ばれる反発弾性率が１５％程度以下（ＪＩＳ  Ｋ６４００−３）のものも含む。副クッション材１２ｂも同様の素材のものを用いることができる。
【００１４】
表布１３は、クッション材１２の上面を被覆するもので、デザインや用途に応じて甲被部３と同様の素材を用いて構成してもよいし、異なる素材のものを用いて構成してもよい。この様な素材として、上述した様に、天然繊維、合成繊維あるいは各種混紡繊維からなる布地、合成皮革、い草、竹等各種の素材を用いることができる。
【００１５】
中芯材１１、クッション材１２、表布１３が積層された上底部材１０の周囲は、甲被部３とともに側布１４により覆われている。側布１４の上端１４ａは表布１３の上面に配置され、側布１４の下端１４ｂは中芯材１１の下面に配置される。
【００１６】
下底部材２０は、下芯材（芯材）２１と、この下芯材２１の下面に設けられて、床面との当接時に生じる音を吸収する吸音材２２と、前記吸音材２２の下面に設けられて、全面に複数の孔２３１を有する網状の底面材２３とが積層されている。ここで、床面との当接時に生じる音として、歩行時にスリッパ１の底部２と床面とが当接して生じる「パタパタ」等の音（歩行音）を挙げることができる。
【００１７】
下芯材２１は、中芯材１１と同様に、例えば、厚紙、ＥＶＡなどの素材のものを用いることができる。下芯材２１の厚みは、２ｍｍ〜７ｍｍ程度に構成される。
【００１８】
吸音材２２は、連続気泡型の多孔性材料若しくは連続気泡型の発泡合成樹脂材料を用いて構成することができ、３〜１０ｍｍ程度の厚みを有することが好ましく、３〜８ｍｍ程度の厚みであることがより好ましく、３〜６ｍｍ程度であると更に好ましい。３ｍｍ未満であると吸音効果が低く、３ｍｍ程度以上の厚みを有することにより、吸音効果を発揮することができる。また、吸音材２２を厚く構成すれば吸音効果は高くなるが、スリッパ１を装着した際のユーザの歩きやすさという点を考慮すると１０ｍｍ程度より厚くすると、歩行しにくくなるため、１０ｍｍ程度以下とすることが好ましく、より好ましくは８ｍｍ程度以下であり、更に６ｍｍ程度以下とすることが好ましい。
但し、泡の大きさは底面材に設けられる孔よりも小さいことが好ましい。
【００１９】
連続気泡型の多孔性材料若しくは連続気泡型の発泡合成樹脂材料として、具体的には、ウレタンフォーム等のスポンジ状の材料を挙げることができる。吸音材２２は、下芯材２１と略同様の形状および大きさに形成されており、下芯材２１の下面に接着剤により接着されている。
【００２０】
吸音材２２は、図２に示す態様では下芯材２１の下面全面に設けられているが、歩行音等の生じやすい位置、踵の位置にのみ設ける構成としてもよい。但し、下芯材２１の下面全面に設けることにより、床面と底部２との当接時に生じる音を全面で吸収することができ、吸音材２２のクッション効果により床面との当接時に生じる音の発生自体も低減することができる。
【００２１】
底面材２３は、直径１ｍｍ〜３ｍｍ程度の孔２３１が複数設けられたもので、全面に無数の孔２３１を有することが好ましい。このように、複数の孔２３１を有する底面材２３を吸音材２２の下面に設けることで、底部２と床面とが面で接触するのではなく点で接触することとなり底部２と床面との接触面積を低減し、歩行音等の発生を抑えることができる。また、底部２と床面との当接時に生じた音はこの孔２３１を介して吸音材２２に導くことができるとともに、底面材２３に形成された孔により底面材自体においても歩行音を吸音することができる。また、底面材２３には粗い孔を全面に複数有する素材を用い、吸音材２２には底面材に設けられる孔よりも細かい孔を無数に有する素材を用いることで、気泡面（孔の内面）で空気の粘性摩擦により音のエネルギーの一部を熱エネルギーに変換して吸音させる際に、広範囲の周波数の音を吸音させることができ、吸音材２２と相俟って吸音効果を高くすることができる。
【００２２】
底面材２３として、上記複数の孔２３１を有するとともに、床面との当接時の衝撃を吸収することのできる衝撃吸収性のある素材を用いれば、底面材２３と床面との当接時に生じる音の発生自体を低減することもできる。また、吸音材２２と相俟って歩行時のクッション性を向上することができる。
【００２３】
底面材２３に設けられる孔２３１の形状は略均一であることが好ましく、全体に略均等に孔２３１が分散して網状（メッシュ状）に設けられていることが好ましい。底面材２３は、吸音材２２と同様に歩行音等の生じやすい位置にのみ設ける構成としてもよいが、吸音材２２に音を導くという観点から吸音材２２の下面全面に設けることが好ましい。また、吸音材２２が設けられない位置に設けても、音の発生を低減するという点で効果を生じるため、底面全体をこの底面材２３で構成すると好ましい。
【００２４】
また、床面と吸音材２２とを直接当接させるのではなく、底面材２３の下面にこの底面材２３を設けることにより、ウレタンフォーム等のスポンジ状の素材である吸音材２２を底面材２３により保護し、吸音材２２の摩耗等を防止して、吸音効果を長期に亘って持続させることができる。
【００２５】
上記底面材２３の素材としては、底面材２３としての耐久性および吸音材２２の保護という観点から、しなやかであり、かつ、剛性を有する素材が好ましい。この様な底面材２３として、例えば、ダブルラッセル構造を有する布地（編地）を利用することができる。ダブルラッセル構造は、図３に示すように、例えば、表地２３ａとして所定の繊維を鎖状に編んだ糸で上記孔２３１に相当する角目、菱目、亀甲目等の網目を連続して形成した編地と、裏地２３ｂとして所定の編目を有する編地とを連結糸２３２によりつなぎ止めて一体化した立体編地である。ダブルラッセル構造を有する布地は、連結糸２３２によりつなぎ止められて所定の厚み（例えば、３ｍｍ〜５ｍｍ程度）を有するとともに、連結糸２３２が変形することによりクッション性を有し、歩行時の衝撃を底面材２３において吸収することができる。
【００２６】
このダブルラッセル構造の編地を構成する地糸として、強度等の観点から、例えば、ポリエステル製のものを用いることができる。また、表地２３ａの網目として、例えば、角目、菱目、亀甲目等各種のものがあるが、これらの網目は略均一の形状をなし、全面に略均等に分散しており、複数の孔２３１を簡易に底面材２３に設けることができる。例えば、角目の目を有するダブルラッセル構造の編地を利用すれば、底面材２３の伸縮性が少なくなる。一方、菱目、亀甲目の目を有するダブルラッセル構造の編地を利用すれば、底面材２３に伸縮性を与えることができる。
【００２７】
底面材２３の平面面積は、下芯材２１、吸音材２２の平面面積よりも大きいものが用いられる。底面材２３の略中央位置に下芯材２１および吸音材２２を配置し、底面材２３でこれらの下芯材２１および吸音材２２を包むように被覆し、底面材２３の側縁部２３ｃは芯材の上面において、接着剤等により接着される。また、底面材２３は、吸音材２２の下面に接着剤により接着されていることが好ましい。この際、底面材２３に形成された複数の孔２３１を接着剤で塞がないように、薄い接着層により接着させることが好ましく、孔２３１の周囲にのみ接着剤が付着していることがより好ましい。
【００２８】
底面材２３は、図２および図４に示すように、縫合糸１５により下芯材２１、吸音材２２とともに縫合されて一体的に連結されていることが好ましい。底面材２３を下芯材２１と吸音材２２とともに縫合する位置は、例えば、下底部材２０の側縁部２０ａが考えられる。側縁部２０ａにおいて底面材２３を下芯材２１および吸音材２２とともに縫合することにすれば、上底部材１０と下底部材２０とを縫合する際に同時に底面材２３を下芯材２１および吸音材２２と一体化することができる。吸音材２２はスポンジ状で弱く、とすれば、底部２の耐性を考慮し、スリッパ１の側縁部２０ａだけではなく、スリッパ１の内部においても縫合糸２５を用いて縫合することにより、下芯材２１、吸音材２２、底面材２３を一体化することが好ましい。この様な縫合の一例として、図４に示すように、側縁部２０ａ以外に、下底部材２０の幅方向（Ｗ）（足の幅方向）の略中央位置に、縫合糸２５を用いて足の踵に相当する位置から足のつま先に相当する位置に亘って長尺な略楕円形状に縫合することができる。この際、足の踵部分や指の付け根の辺りのように、体重の掛かりやすい位置については、特に、該当箇所の一般的な幅（Ｗ）を略３等分した位置で、縫合することが好ましい。底面材２１を接着剤を用いて薄い接着層により吸音材２２に接着した場合に比較して、底面材２１と吸音材２２との接合が強固となり、歩行時に加わる重さ等により、底面材２１が吸音材２２から剥離して、底面材２１が吸音材２２に対して滑るの防止することができる。これにより、歩行しやすくするとともに、スリッパ１の底部２の長期に亘る耐久性を増し、さらに、歩行音を確実に吸音材２２に導くことができる。但し、図４に示す例では、この略楕円形状を有する滑り止め部材２４を底面材２３の下面に設けており、この滑り止め部材２４も底面材２３、吸音材２２、下芯材２１とともに縫合糸２５により一体的に縫合されている。その他、底面材２３の下面において縫合糸２５を用いて格子模様状に縫合したり、スリッパ１の長さ（Ｌ）方向あるいは幅（Ｗ）方向に平行な直線上の縫い目を複数設ける構成としてもよい。
【００２９】
一般的な幅（Ｗ）を少なくとも略三等分し、図２および図４に示すように、縫合糸２５によりスリッパ１の長さ（Ｌ）方向に沿って縫合し、底面材２３と吸音材２２と芯材２１とを一体化することが好ましい。また、底面材２３を下底部材２０の側縁部２０ａだけではなく、他の位置においても縫合して吸音材２２と接合することにより、吸音材２２との密着性を高めて底面材２３の吸音材２２に対する滑りを防止することができる。
【００３０】
但し、上記滑り止め部材２４としては、起毛させたスエード調のポリエステル布等の床面との摩擦係数の大きい素材を用いることができる。この様に滑り止め部材２４を底面材２３の下面に設けることにより、底面材２３と床面との滑りを防止することができる。また、踵の部分だけではなく、つま先の部分にも滑り止め部材２４を設けることにより、つま先部分における床面と底面材２３との滑りを防止することができる。滑り止め部材２４の幅は、スリッパ１の幅（Ｗ）に対して、１／５〜２／５程度の範囲で適宜設定することができ、長さはスリッパ１の長さ（Ｌ）に対して１／９〜１／７程度の範囲で適宜設定することができる。
【００３１】
以上説明した上記実施の形態によれば、通常、下芯材２１とこれを被覆する布材などから形成される下底部材２０を、下芯材２１と、吸音材２２と、複数の孔２３１を有する底面材２３とを積層して構成することにより、従来の様に、足の踵とスリッパ１等の室内履きとの密着度を高めることにより歩行音の発生を低減するのではなく、室内履きの形状等に変化を与えることなく歩行音自体を吸収するので、装着時の室内履きの快適性を維持し、かつ、静音効果を発揮することができる。
【００３２】
実際に、本発明に係る下底部材２０として、約４ｍｍの厚みを有するＥＶＡ製の下芯材２１の下面に、吸音材２２として約４ｍｍの厚みを有するウレタンフォームを積層して、底面材２３として約４ｍｍの厚みを有するポリエステル製のダブルメッシュシート（密度；１９．６ｇ／ｍ2）を用いて被覆したスリッパ１と、比較例として約４ｍｍの厚みを有するＥＶＡ製の下芯材２１の下面を、底面材２３として約１ｍｍの厚みを有するビニールレザーを用いて被覆したスリッパ１とを着用して防火扉により外部の音を遮音した状態でリノリウムの床面を有する階段の踊り場部分を歩行した際の歩行音および階段を昇降した場合における歩行音の比較を行ったところ、本発明に係る下底部材２０を用いた場合、歩行音の最大値は約５６ｄＢであったのに対して、比較例に係る下底部材２０を用いた場合、歩行音の最大値は約６２ｄＢであった。
但し、下底部材２０を取り換えた以外は、上底部材１０および甲被材は同一の素材、形状のものを用いた。また、歩行音の生じ方は個人差が生じるため、三人の被験者（男性２名、女性１名）により上記歩行音の測定を行い、その最大値により比較した。なお、歩行音の測定には、株式会社佐藤商事製のミニサウンドレベルメーター（騒音計）・ＳＤ−３２８を用いた。
【００３３】
体感音量は、３ｄＢ低下する毎に約１／２となると言われている。従って、比較例に係るスリッパ１により生じた歩行音に対して、本発明に係る下底部材２０を用いたスリッパ１により生じた歩行音は約６ｄＢ低かったことから、体感音量は約１／６となり、有意な静音効果を得ることができた。
【００３４】
また、上記構成によれば、底面材２３に形成された複数の孔２３１を介して吸音材２２に歩行音を効率よく導くとともに、底面材２３自体においても歩行音等を吸音させることができる。すなわち、無数の気泡を有する吸音材２２と、表面に複数の孔が形成された網状の底面材２３とを積層することにより、広範囲の周波数の音を吸音することができ、吸音効果を向上させることができる。また、底面材２３は複数の孔２３１を有しており、床面との接触面積が小さくなるため、歩行音の発生自体も低減することができる。さらに、床面に埃や花粉等が付着していても、底面材２３と床面との接触時における埃や花粉等の舞い上がりなどを防止することができる。
【００３５】
以上説明した上記実施の形態に本発明は限定されるものではなく、本発明の趣旨を逸脱しない範囲において適宜変更可能なのは勿論である。
例えば、上記実施の形態では、上底部材１０と下底部材２０とを縫合糸１５により縫合する際に、甲被部３の外側に縫い目を設ける外縫いタイプのものを示したが、縫い目を甲被部３の内側に設ける吊り込みタイプのものであってもよく、デザイン等に応じて適宜変更することができる。
また、上記実施の形態では、底部２を上底部材１０と下底部材２０とからなるいわゆるダブル底構造の底部２について説明したが、底部２の構成を、例えば、表布１３と、下芯材２１（芯材）と、吸音材２２と、底面材２３と、側布１４等により構成されるシングル底構造としてもよいのは勿論である。
【００３６】
また、室内履きとしてスリッパを例に挙げて説明したが、室内で用いるサンダルやルームシューズ等、室内で履く履き物等に本発明の底部材は適宜適用することができる。
【図面の簡単な説明】
【００３７】
【図１】本発明の実施の形態の室内履き（スリッパ）の一例を示す外観斜視図である。
【図２】本発明の実施の形態の室内履きの底部材（底部）の断面構成を示す図である。
【図３】本発明の実施の形態の底面材の構成を示す外観斜視図である。
【図４】本発明の実施の形態の底部材の底面の構成を示す平面図である。
【符号の説明】
【００３８】
１  スリッパ（室内履き）
２  底部（底部材）
３  甲被部
１０  上底部材
１５  縫合糸
２０  下底部材
２０ａ  側縁部
２１  下芯材（芯材）
２２  吸音材
２３  底面材
２４  滑り止め部材
２５  縫合糸
２３１  孔
【図１】
2008061815.tif 000003
【図２】
2008061815.tif 000004
【図３】
2008061815.tif 000005
【図４】
2008061815.tif 000006
【手続補正書】
【提出日】平成19年10月3日(2007.10.3)
【手続補正１】
【補正対象書類名】特許請求の範囲
【補正対象項目名】全文
【補正方法】変更
【補正の内容】
【特許請求の範囲】
【請求項１】
室内履きの底に設けられる室内履きの底部材であって、
上底部材と下底部材とを備え、
前記下底部材が、芯材と、
前記芯材の下面に設けられて、床面との当接時に生じる音を吸収する、連続気泡型の多孔性材料または連続気泡型の発泡性合成樹脂材料を用いて構成された吸音材と、
前記吸音材の下面に設けられて、全面に複数の孔を有する網状の底面材とを備え、
前記底面材が、前記吸音材と前記芯材とを包むように被覆して、前記底面材の側縁部が前記芯材の上面に延び、
前記上底部材と前記下底部材とが、前記下底部材の側縁部の周方向において、前記底面材、前記吸音材、前記芯材、更に、前記底面材の側縁部を含んで、縫合糸により一体的に縫合されていること、
を特徴とする室内履きの底部材。
【請求項２】
請求項１記載の室内履きの底部材において、
前記吸音材は、前記底面材に設けられる孔よりも細かい孔を無数に有すること、
を特徴とする室内履きの底部材。
【請求項３】
請求項１又は２記載の室内履きの底部材において、
前記底面材の下面に、略楕円形状を有する滑り止め部材を設け、この滑り止め部材を前記底面材、前記吸音材、前記芯材を含んで、縫合糸により一体的に縫合したこと、
を特徴とする室内履きの底部材。
【請求項４】
請求項３記載の室内履きの底部材において、
前記滑り止め部材が、足の踵に相当する位置から足のつま先に相当する位置に亘って長尺な略楕円形状に形成され、足の踵部分や指の付け根の辺りのように、体重の掛かりやすい位置については、当該滑り止め部材の幅が、該当箇所の一般的な幅を略３等分した幅に形成されていること、
を特徴とする室内履きの底部材。
【手続補正２】
【補正対象書類名】明細書
【補正対象項目名】０００５
【補正方法】変更
【補正の内容】
【０００５】
上記課題を解決するため、本発明の室内履きの底部材は、室内履きの底に設けられる室内履きの底部材であって、上底部材と下底部材とを備え、前記下底部材が、芯材と、前記芯材の下面に設けられて、床面との当接時に生じる音を吸収する、連続気泡型の多孔性材料または連続気泡型の発泡性合成樹脂材料を用いて構成された吸音材と、前記吸音材の下面に設けられて、全面に複数の孔を有する網状の底面材とを備え、前記底面材が、前記吸音材と前記芯材とを包むように被覆して、前記底面材の側縁部が前記芯材の上面に延び、前記上底部材と前記下底部材とが、前記下底部材の側縁部の周方向において、前記底面材、前記吸音材、前記芯材、更に、前記底面材の側縁部を含んで、縫合糸により一体的に縫合されていることを特徴とする。
上記構成によれば、通常、芯材とこれを被覆する布材などから形成される底部材を、芯材と、吸音材と、全面に複数の孔を有する網状の底面材とを積層して構成することにより、従来の様に、足の踵とスリッパ等の室内履きとの密着度を高めることにより歩行音の発生を低減するのではなく、室内履きの形状等に変化を与えることなく歩行音自体を吸収するので、装着時の室内履きの快適性を維持し、かつ、静音効果を発揮することができる。
また、上記構成によれば、底面材により複数の孔を介して吸音材に歩行音を効率よく導いて吸音させることができる。また、底面材は全面に複数の孔を有する網状のものなので、歩行時の床面と底面材との接触面積が小さくなるため、歩行音の発生自体も低減することができるとともに、底面材に形成された孔により底面材自体においても歩行音を吸音することができる。
【手続補正３】
【補正対象書類名】明細書
【補正対象項目名】０００６
【補正方法】変更
【補正の内容】
【０００６】
上記構成において、前記吸音材は、前記底面材に設けられる孔よりも細かい孔を無数に有することが好ましい。
ここで、吸音材の厚みは３〜１０ｍｍ程度とすることが好ましく、より好ましくは３〜８ｍｍ程度であり、更に好ましくは３〜６ｍｍ程度である。
上記構成によれば、気泡面（孔の内面）で空気の粘性摩擦により音のエネルギーの一部を熱エネルギーに変換して吸音させる際に、底面材には粗い孔を全面に複数有する素材を用い、吸音材には細かい孔を無数に有する素材を用いることで、広範囲の周波数の音を吸音させることができ、吸音効果を高くすることができる。
また、吸音材を連続気泡型の多孔性材料もしくは連続気泡型の発泡性合成樹脂材料を用いて構成することにより、歩行音を吸音するとともに、底面のクッション性を持たせることできる。これにより、床面と当接する際の衝撃を緩和させて、歩行音の発生自体も低減することができる。また、３〜１０ｍｍ程度の適度な厚みとすることで、歩行の安定性を確保することができる。
また、上記構成において、前記底面材の下面に、略楕円形状を有する滑り止め部材を設け、この滑り止め部材を前記底面材、前記吸音材、前記芯材を含んで、縫合糸により一体的に縫合することが好ましい。
さらに、上記構成において、前記滑り止め部材が、足の踵に相当する位置から足のつま先に相当する位置に亘って長尺な略楕円形状に形成され、足の踵部分や指の付け根の辺りのように、体重の掛かりやすい位置については、当該滑り止め部材の幅が、該当箇所の一般的な幅を略３等分した幅に形成されていることが好ましい。
【手続補正書】
【提出日】平成19年11月26日(2007.11.26)
【手続補正１】
【補正対象書類名】特許請求の範囲
【補正対象項目名】全文
【補正方法】変更
【補正の内容】
【特許請求の範囲】
【請求項１】
室内履きの底に設けられる室内履きの底部材であって、
上底部材と下底部材とを備え、
前記下底部材が、芯材と、
前記芯材の下面に設けられて、床面との当接時に生じる音を吸収する、連続気泡型の多孔性材料または連続気泡型の発泡性合成樹脂材料を用いて構成された吸音材と、
前記吸音材の下面に設けられて、繊維を鎖状に編んだ糸で編まれたダブルラッセル構造を有する編み地であって、全面に複数の孔を有する網状の底面材とを備え、
前記底面材が、前記吸音材と前記芯材とを包むように被覆して、前記底面材の側縁部が前記芯材の上面に延び、
前記上底部材と前記下底部材とが、前記下底部材の側縁部の周方向において、前記底面材、前記吸音材、前記芯材、更に、前記底面材の側縁部を含んで、縫合糸により一体的に縫合されるとともに、
前記底面材の下面に、足の踵に相当する位置から足のつま先に相当する位置に亘って一連につながる長尺に形成された滑り止め部材を、当該底面材の幅方向における略中央位置に設け、
当該滑り止め部材の側縁部の周方向において、当該側縁部の周囲を囲むように、この滑り止め部材を前記底面材、前記吸音材、前記芯材を含んで、縫合糸によりこれらをともに一体的に縫合し、前記縫合糸により前記底面材と、前記吸音材と、前記芯材と、前記滑り止め部材とを一体化したこと、
を特徴とする室内履きの底部材。
【請求項２】
請求項１に記載の室内履きの底部材において、
前記滑り止め部材は、長尺な略楕円形状に形成され、足の踵部分や指の付け根の辺りのように、体重の掛かりやすい位置については、当該滑り部材の幅が、該当箇所の一般的な幅を略３等分した幅に形成されていること、
を特徴とする室内履きの底部材。
【請求項３】
請求項１記載の室内履きの底部材において、
前記吸音材は前記底面材に設けられる孔よりも細かい孔を無数に有すること、
を特徴とする室内履きの底部材。
【請求項４】
請求項１〜３のいずれか一項に記載の室内履きの底部材において、
前記底面材に形成された複数の孔を塞がないようにして、接着剤により前記底面材を前記吸音材の下面に接着したこと、
を特徴とする室内履きの底部材。
【手続補正２】
【補正対象書類名】明細書
【補正対象項目名】０００５
【補正方法】変更
【補正の内容】
【０００５】
上記課題を解決するため、本発明の室内履きの底部材は室内履きの底に設けられる室内履きの底部材であって、上底部材と下底部材とを備え、前記下底部材が、芯材と、前記芯材の下面に設けられて、床面との当接時に生じる音を吸収する、連続気泡型の多孔性材料または連続気泡型の発泡性合成樹脂材料を用いて構成された吸音材と、前記吸音材の下面に設けられて、繊維を鎖状に編んだ糸で編まれたダブルラッセル構造を有する編み地であって、全面に複数の孔を有する網状の底面材とを備え、前記底面材が、前記吸音材と前記芯材とを包むように被覆して、前記底面材の側縁部が前記芯材の上面に延び、前記上底部材と前記下底部材とが、前記下底部材の側縁部の周方向において、前記底面材、前記吸音材、前記芯材、更に、前記底面材の側縁部を含んで、縫合糸により一体的に縫合されるとともに、前記底面材の下面に、足の踵に相当する位置から足のつま先に相当する位置に亘って一連につながる長尺に形成された滑り止め部材を、当該底面材の幅方向における略中央位置に設け、当該滑り止め部材の側縁部の周方向において、当該側縁部の周囲を囲むように、この滑り止め部材を前記底面材、前記吸音材、前記芯材を含んで、縫合糸によりこれらをともに一体的に縫合し、前記縫合糸により前記底面材と、前記吸音材と、前記芯材と、前記滑り止め部材とを一体化したこと、を特徴とする。
上記構成によれば、通常、芯材とこれを被覆する布材などから形成される底部材を、芯材と、吸音材と、全面に複数の孔を有する網状の底面材とを積層して構成することにより、従来の様に、足の踵とスリッパ等の室内履きとの密着度を高めることにより歩行音の発生を低減するのではなく、室内履きの形状等に変化を与えることなく歩行音自体を吸収するので、装着時の室内履きの快適性を維持し、かつ、静音効果を発揮することができる。
また、上記構成によれば、底面材により複数の孔を介して吸音材に歩行音を効率よく導いて吸音させることができる。また、底面材は全面に複数の孔を有する網状のものなので、歩行時の床面と底面材との接触面積が小さくなるため、歩行音の発生自体も低減することができるとともに、底面材に形成された孔により底面材自体においても歩行音を吸音することができる。
【手続補正３】
【補正対象書類名】明細書
【補正対象項目名】０００６
【補正方法】変更
【補正の内容】
【０００６】
上記構成において、前記滑り止め部材は、長尺な略楕円形状に形成され、足の踵部分や指の付け根の辺りのように、体重の掛かりやすい位置については、当該滑り部材の幅が、該当箇所の一般的な幅を略３等分した幅に形成されていることが好ましい。
また、前記吸音材は前記底面材に設けられる孔よりも細かい孔を無数に有することが好ましい。
また、前記底面材に形成された複数の孔を塞がないようにして、接着剤により前記底面材を前記吸音材の下面に接着することが好ましい。
ここで、吸音材の厚みは３〜１０ｍｍ程度とすることが好ましく、より好ましくは３〜８ｍｍ程度であり、更に好ましくは３〜６ｍｍ程度である。
上記構成によれば、気泡面（孔の内面）で空気の粘性摩擦により音のエネルギーの一部を熱エネルギーに変換して吸音させる際に、底面材には粗い孔を全面に複数有する素材を用い、吸音材には細かい孔を無数に有する素材を用いることで、広範囲の周波数の音を吸音させることができ、吸音効果を高くすることができる。
また、吸音材を連続気泡型の多孔性材料もしくは連続気泡型の発泡性合成樹脂材料を用いて構成することにより、歩行音を吸音するとともに、底面のクッション性を持たせることできる。これにより、床面と当接する際の衝撃を緩和させて、歩行音の発生自体も低減することができる。また、３〜１０ｍｍ程度の適度な厚みとすることで、歩行の安定性を確保することができる。